(57)【要約】  ユーザが所望の操作説明情報を確実に得ることができる情報表示処理システム。車載情報表示処理装置（１２０）は、表示装置（１２７）に画像を表示させる画像処理部（１２５）と、表示中の画像から画像の指定を検出する操作検出部（１２１）と、指定された画像に予め関連付けられている識別情報と、操作説明書データベース（１３１）に記憶されている操作説明情報に予め関連付けられている識別情報とに基づいて、指定された画像に対応する操作説明情報を検索するデータベース制御部（１３０）と、検索された操作説明情報を携帯端末（１００）へ送信する信号送信部（１２６）と、を有する。携帯端末（１００）は、操作説明情報を受信する信号受信部（１１１）と、表示画面（１１２）に操作説明情報を表示させる画面表示処理部（１１３）と、を有する。
2014108965.tif 000002
【特許請求の範囲】
【請求項１】
情報表示処理装置と携帯端末とが通信を行う情報表示処理システムであって、
前記情報表示処理装置は、
前記情報表示処理装置の表示部に画像を表示させる第１画像処理部と、
ユーザが前記画像の中から所望の画像を指定する第１指定操作を検出する第１操作検出部と、
前記情報表示処理装置の操作の説明を示す操作説明情報を記憶する記憶部と、
前記第１指定操作で指定された画像に予め関連付けられている識別情報と、前記記憶部に記憶されている前記操作説明情報に予め関連付けられている識別情報とに基づいて、前記記憶部から、前記第１指定操作で指定された画像に対応する操作説明情報を検索する検索部と、
前記検索された操作説明情報を、前記携帯端末へ送信する第１通信部と、を有し、
前記携帯端末は、
前記情報表示処理装置から前記操作説明情報を受信する第２通信部と、
前記携帯端末の表示部に前記操作説明情報を表示させる第２画像処理部と、を有する、
情報表示処理システム。
【請求項２】
前記携帯端末は、
ユーザが前記操作説明情報の中から所望の情報を指定する第２指定操作を検出する第２操作検出部を有し、
前記第２通信部は、
前記第２指定操作で指定された操作説明情報を、前記情報表示処理装置へ通知し、
前記記憶部は、
前記操作説明情報を、根ノードを頂点としたツリー構造として記憶し、かつ、当該ツリー構造を構成するノードごとに画面情報を記憶しており、
前記検索部は、
前記記憶部において、根ノードから、前記第２指定操作で指定された操作説明情報であるユーザ指定ノードまでの最短経路を検索し、
前記第１画像処理部は、
前記根ノードの画面情報から順に、前記最短経路を構成する各ノードの画面情報を、前記ユーザ指定ノードの画面情報まで表示する、
請求項１記載の情報表示処理システム。
【請求項３】
携帯端末と通信を行う情報表示処理装置であって、
前記情報表示処理装置の表示部に画像を表示させる画像処理部と、
ユーザが前記画像の中から所望の画像を指定する指定操作を検出する操作検出部と、
前記情報表示処理装置の操作の説明を示す操作説明情報を記憶する記憶部と、
前記指定操作で指定された画像に予め関連付けられている識別情報と、前記記憶部に記憶されている前記操作説明情報に予め関連付けられている識別情報とに基づいて、前記記憶部から、前記指定操作で指定された画像に対応する操作説明情報を検索する検索部と、
前記検索された操作説明情報を、前記携帯端末へ送信する通信部と、を有する、
情報表示処理装置。
【請求項４】
前記記憶部は、
前記操作説明情報を、根ノードを頂点としたツリー構造として記憶し、かつ、当該ツリー構造を構成するノードごとに画面情報を記憶しており、
前記通信部は、
前記携帯端末の表示部に表示された操作説明情報の中からユーザが指定した操作説明情報を受信し、
前記検索部は、
前記記憶部において、根ノードから、前記ユーザが指定した操作説明情報であるユーザ指定ノードまでの最短経路を検索し、
前記画像処理部は、
前記根ノードの画面情報から順に、前記最短経路を構成する各ノードの画面情報を、前記ユーザ指定ノードの画面情報まで表示する、
請求項３記載の情報表示処理装置。
【請求項５】
情報表示処理装置と通信を行う携帯端末であって、
前記情報表示処理装置から、当該情報表示処理装置の操作の説明を示す操作説明情報を受信する通信部と、
前記携帯端末の表示部に前記操作説明情報を表示させる画像処理部と、を有し、
前記操作説明情報は、
前記情報表示処理装置の表示部に表示された画像の中からユーザが指定した画像に対応する操作説明情報である、
携帯端末。
【請求項６】
前記携帯端末は、
ユーザが前記操作説明情報の中から所望の情報を指定する指定操作を検出する操作検出部を有し、
前記通信部は、
前記指定操作で指定された操作説明情報を、前記情報表示処理装置へ通知する、
請求項５記載の携帯端末。
【発明の詳細な説明】
【技術分野】
【０００１】
本発明は、電子機器の操作説明をデジタルデータで表示する情報表示処理システム、情報表示処理装置、および携帯端末に関するものである。
【背景技術】
【０００２】
電子機器の操作説明（「取扱説明」ともいう）をデジタルデータで表示するシステムが知られている。例えば、特許文献１は、プリンタの操作説明を示すデジタルデータ（以下、「操作説明情報」という）を、携帯端末に表示する技術を開示している。特許文献１の技術では、プリンタは、プリンタの状態を示す情報とともに、操作説明情報の表示要求をサーバへ送信する。サーバは、操作説明情報の表示要求を受信すると、プリンタの状態に基づいて、表示すべき操作説明情報を決定し、携帯端末へ送信する。携帯端末は、サーバから受信した操作説明情報を表示する。これにより、ユーザは、携帯端末に表示される操作説明情報を参照しながら、プリンタの操作を行うことができる。
【先行技術文献】
【特許文献】
【０００３】
【特許文献１】特開２０１２−１４４９１号公報
【発明の概要】
【発明が解決しようとする課題】
【０００４】
しかしながら、特許文献１の技術では、サーバが操作説明情報を決定するので、その操作説明情報が必ずしもユーザの所望する情報であるとは限らない。すなわち、特許文献１の技術は、ユーザが所望の操作説明情報を確実に得ることができない、という課題がある。【０００５】
本発明の目的は、ユーザが、所望の操作説明情報をより適切に得ることができる情報表示処理システム、情報表示処理装置、および携帯端末を提供することである。
【課題を解決するための手段】
【０００６】
本発明の一態様に係る情報表示処理システムは、情報表示処理装置と携帯端末とが通信を行う情報表示処理システムであって、前記情報表示処理装置は、前記情報表示処理装置の表示部に画像を表示させる第１画像処理部と、ユーザが前記画像の中から所望の画像を指定する第１指定操作を検出する第１操作検出部と、前記情報表示処理装置の操作の説明を示す操作説明情報を記憶する記憶部と、前記第１指定操作で指定された画像に予め関連付けられている識別情報と、前記記憶部に記憶されている前記操作説明情報に予め関連付けられている識別情報とに基づいて、前記記憶部から、前記第１指定操作で指定された画像に対応する操作説明情報を検索する検索部と、前記検索された操作説明情報を、前記携帯端末へ送信する第１通信部と、を有し、前記携帯端末は、前記情報表示処理装置から前記操作説明情報を受信する第２通信部と、前記携帯端末の表示部に前記操作説明情報を表示させる第２画像処理部と、を有する。【０００７】
本発明の一態様に係る情報表示処理装置は、携帯端末と通信を行う情報表示処理装置であって、前記情報表示処理装置の表示部に画像を表示させる画像処理部と、ユーザが前記画像の中から所望の画像を指定する指定操作を検出する操作検出部と、前記情報表示処理装置の操作の説明を示す操作説明情報を記憶する記憶部と、前記指定操作で指定された画像に予め関連付けられている識別情報と、前記記憶部に記憶されている前記操作説明情報に予め関連付けられている識別情報とに基づいて、前記記憶部から、前記指定操作で指定された画像に対応する操作説明情報を検索する検索部と、前記検索された操作説明情報を、前記携帯端末へ送信する通信部と、を有する。【０００８】
本発明の一態様に係る携帯端末は、情報表示処理装置と通信を行う携帯端末であって、前記情報表示処理装置から、当該情報表示処理装置の操作の説明を示す操作説明情報を受信する通信部と、前記携帯端末の表示部に前記操作説明情報を表示させる画像処理部と、を有し、前記操作説明情報は、前記情報表示処理装置の表示部に表示された画像の中からユーザが指定した画像に対応する操作説明情報である。
【発明の効果】
【０００９】
本発明によれば、ユーザは、所望の操作説明情報をより適切に得ることができる。
【図面の簡単な説明】
【００１０】
【図１】本発明の実施の形態１における車載情報表示処理システムの構成を示すブロック図
【図２】本発明の実施の形態１における操作説明情報のデータ構造例を示す図
【図３】本発明の実施の形態１における車載情報表示処理装置の画面の表示例を示す図
【図４】本発明の実施の形態１における車載情報表示処理装置の画面の表示例を示す図
【図５】本発明の実施の形態１における車載情報表示処理装置の操作検出部の動作を示すフロー図
【図６】本発明の実施の形態１における車載情報表示処理装置のデータベース制御部の動作を示すフロー図
【図７】本発明の実施の形態１における操作項目情報の表示例を示す図
【図８】本発明の実施の形態２における画面遷移代行モードの初期表示の一例を示す図
【図９】本発明の実施の形態２における車載情報表示処理システムの動作例を示すシーケンス図
【図１０】本発明の実施の形態２における車載情報表示処理システムの動作例を示すシーケンス図
【図１１】本発明の実施の形態２における車載情報表示処理装置の画面遷移例を示す図
【図１２】本発明の実施の形態３における携帯端末に表示する操作説明の画面例を示す図
【図１３】本発明の実施の形態３における車載情報表示処理システムの表示例を示す図
【図１４】本発明の実施の形態３における車載情報表示処理システムの動作例を示すシーケンス図
【図１５】本発明の実施の形態３における車載情報表示処理システムの表示例を示す図
【図１６】本発明の実施の形態３における車載情報表示処理システムの表示例を示す図
【図１７】本発明の実施の形態３における車載情報表示処理システムの表示例を示す図
【図１８】本発明の実施の形態４における車載情報表示処理システムの表示例を示す図
【図１９】本発明の実施の形態４における車載情報表示処理システムの動作例を示す図
【発明を実施するための形態】
【００１１】
（実施の形態１）
本発明の実施の形態１について、図面を参照しながら説明する。
【００１２】
まず、本実施の形態の車載情報表示処理システムの構成例について説明する。図１は、本実施の形態の車載情報表示処理システムの構成例を示すブロック図である。図１の車載情報表示処理システムは、本発明の情報表示処理システムの一例である。
【００１３】
図１において、本実施の形態の車載情報表示処理システムは、携帯端末１００、車載情報表示処理装置１２０、表示装置１２７、およびユーザＩＦ（InterFace）１２８を備える。携帯端末１００は、本発明の携帯端末の一例である。また、車載情報表示処理装置１２０は、本発明の情報表示処理装置の一例である。
【００１４】
携帯端末１００は、信号受信部１１１、表示画面１１２、画面表示処理部１１３、操作検出部１１４、ユーザＩＦ１１５、および信号送信部１１６を有する。
【００１５】
信号受信部１１１（第２通信部の一例）は、有線通信または無線通信により、車載情報表示処理装置１２０の信号送信部１２６から情報を受信し、その情報を画面表示処理部１１３へ送出する。
【００１６】
画面表示処理部１１３（第２画像処理部の一例）は、信号受信部１１１から情報を受け取ると、その情報に基づいて画像処理を行う。この画像処理は、例えば、表示画面１１２上で適切なレイアウトとサイズになるように、受け取った情報を画像に変換する処理である。そして、画面表示処理部１１３は、変換により得られた画像を表示画面１１２に表示させる。
【００１７】
表示画面１１２（表示部の一例）は、例えば、液晶ディスプレイなどであり、画面表示処理部１１３からの画像を表示する。この画像は、静止画または動画のいずれでもよく、図および文字の少なくとも一方を含む。
【００１８】
操作検出部１１４（第２操作検出部の一例）は、ユーザＩＦ１１５に対して行われたユーザの操作を検出する。そして、操作検出部１１４は、検出した操作に対応する情報（例えば、後述する整理番号）を信号送信部１１６へ送出する。
【００１９】
ユーザＩＦ１１５は、ユーザが携帯端末１００に対して所定の入力操作を行う際に使用される。ユーザは、例えば、表示画面１１２に表示したい情報（例えば、文字列または図）を、ユーザＩＦ１１５にて選択することができる。なお、ユーザＩＦ１１５は、例えば、タッチパネルまたはポインティングデバイス（例えば、マウス、トラックボール、ステアリングホイール上のスイッチなど）である。
【００２０】
信号送信部１１６（第２通信部の一例）は、操作検出部１１４からの情報を、有線通信または無線通信により、車載情報表示処理装置１２０の信号受信部１２２へ送信する。
【００２１】
携帯端末１００は、例えば、携帯電話、スマートフォン、タブレット、携帯型メディアプレーヤ、携帯ナビゲーション装置、携帯ゲーム機、ノート型パーソナルコンピュータなどである。
【００２２】
車載情報表示処理装置１２０は、携帯端末１００、表示装置１２７、およびユーザＩＦ１２８と接続されている。表示装置１２７は、液晶ディスプレイなどであり、車載情報表示処理装置１２０からの画像信号に応じた画像を表示する。ユーザＩＦ１２８は、タッチパネルや、マウス、トラックボール、ステアリングホイール上のスイッチなどのポインティングデバイスであり、ユーザによる車載情報表示処理装置１２０の操作を受け付ける。車載情報表示処理装置１２０は、カーナビゲーションシステムまたはオーディオシステムなどを搭載している。
【００２３】
車載情報表示処理装置１２０は、操作検出部１２１、信号受信部１２２と、中央処理部１２３、画面表示処理部１２４と、画像処理部１２５、信号送信部１２６、データベース制御部１３０、および操作説明書データベース１３１を備える。なお、データベース制御部１３０および操作説明書データベース１３１は、車載情報表示処理装置１２０に接続される外部の装置内に備えられていてもよい。
【００２４】
操作検出部１２１、中央処理部１２３、画像処理部１２５、信号送信部１２６、およびデータベース制御部１３０は、例えば、ＣＰＵ（Centaral Processing Unit）、ＲＯＭ（Read Only Memory）、およびＲＡＭ（Random Access Memory）によって実現される。ＣＰＵは、ＲＯＭに格納されたコンピュータプログラムを、ＲＡＭを作業領域として使いながら実行する。
【００２５】
操作検出部１２１（第１操作検出部の一例）は、ユーザＩＦ１２８にて受け付けた操作を検出し、データベース制御部１３０に通知する。
【００２６】
信号受信部１２２（第１通信部の一例）は、有線通信または無線通信により、携帯端末１００の信号送信部１１６から情報を受信し、データベース制御部１３０へ送出する。
【００２７】
中央処理部１２３は、車載情報表示処理装置１２０の基本動作を制御する。中央処理部１２３の動作の詳細は、後述する。
【００２８】
画面表示処理部１２４（第１画像処理部の一例）は、画像処理部１２５にて処理された画像が表示装置１２７（表示部の一例）に適切に表示されるように処理を行い、表示装置１２７に表示させる。
【００２９】
画像処理部１２５（第１画像処理部の一例）は、中央処理部１２３からの処理結果に基づいて、画像を生成する。そして、画像処理部１２５は、生成した画像を、信号送信部１２６または画面表示処理部１２４に送出する。
【００３０】
信号送信部１２６（第１通信部の一例）は、画像処理部１２５からの画像、または、中央処理部１２３からの情報を、有線通信または無線通信により、携帯端末１００の信号受信部１１１へ送信する。なお、信号送信部１２６は、画像処理部１２５からの画像と、中央処理部１２３からの情報（例えば文字）とを統合して、携帯端末１００へ送信してもよい。
【００３１】
データベース制御部１３０（検索部の一例）は、操作説明書データベース１３１の制御を行う。データベース制御部１３０の動作の詳細は、後述する。
【００３２】
操作説明書データベース１３１（記憶部の一例）は、車載情報表示処理装置１２０についての操作説明を示す操作説明情報を記憶している。操作説明情報は、一般的な操作説明書（「取扱説明書」ともいう）に含まれている文字列または図である。
【００３３】
図２にその構成の一例を示すように、操作説明情報はツリー構造で構成される。ツリー構造は、例えば、根ノード２０１を頂点とし、その階層に大ノード２０２、その階層に中ノード２０３、さらにその階層に小ノード２０４を有する。
【００３４】
そして、各ノードには、文字列（見出し、説明の文章を含む）、図、識別情報（以下、「整理記号」という）がそれぞれ関連付けされている。
【００３５】
ここで、各ノードに関連付けされている図は、各ノードに含まれる操作説明に対応する機能が通常モード（後述）時に実行（あるいは選択）されている状態において表示装置１２７に表示されている画面と同じ内容を示す図を含む。あるいは、各ノードに関連付けされている図は、ユーザが直感的に理解できる程度に簡略化された内容を示す図を含む。以下の説明では、これらの図を「対応画面図」と称する。以下の説明ではこの「紐付けられたデータ」も「対応画面図」として扱う。
【００３６】
根ノードは、例えば車載情報表示処理装置１２０がカーナビゲーションシステムを備えている場合、そのカーナビゲーションシステムの基本画面に対応した操作説明情報を根ノードとして設定する。
【００３７】
ここで、基本画面とは、一般的に使用頻度が高いと考えられる機能を実行させている際に表示装置１２７表示される画面を指す。したがって、車載情報表示処理装置１２０がカーナビゲーションシステムを備えておらず、例えばＤＶＤプレーヤを備えたものであれば、基本画面をＤＶＤの操作画面にするなどしても良い。
【００３８】
また、各ノードには該当ノードから次のノードに遷移するために必要な、ユーザがユーザＩＦ１２８を利用して行うべき操作を自動で処理する断片的なプログラム（後述する操作プログラム）を備える。
【００３９】
このプログラムは、単に当該ノードに属する文字列内の関連付けられたキーワードに、本来ユーザがユーザＩＦ１２８を操作することで得られる情報（例えば座標情報）を付与する方法でもよい。
【００４０】
次に、本実施の形態の車載情報表示処理システムの動作例について説明する。
【００４１】
ここでは、車載情報表示処理装置１２０は、カーナビゲーションシステム（以下、「カーナビ」という）を備える例とする。よって、車載情報表示処理装置１２０は、表示装置１２７に対して、地図上において車載情報表示処理装置１２０（車輌およびユーザ）の現在位置とその周辺を表示するように制御する。
【００４２】
そして、ここでは、ユーザがカーナビについて機能または操作を調べるときを例とする。また、本実施の形態の説明において、便宜上、ヘルプボタン１１（後述）が操作されてから所望の処理が終了するまでの車載情報表示処理装置１２０の状態を「ヘルプモード」と呼ぶ。さらに実施の形態２〜４にて説明する画面遷移代行モード、操作誘導モードの各モード以外の状態を「通常モード」と呼ぶこととする。
【００４３】
通常モードにおいて、表示装置１２７は、車載情報表示処理装置１２０の制御により、例えば、図３に示す画像（以下、「カーナビ画像」という）を表示する。図３において、カーナビ画像は、中央部分に地図画像１０、下部部分に機能画像２０を有する。
【００４４】
地図画像１０は、地図上において車載情報表示処理装置１２０の現在位置とその周辺を示す画像である。また、機能画像２０は、カーナビの各機能をアイコンで示す画像である。図３の例では、機能１〜６およびメニューのそれぞれに対応してアイコンが表示されている。機能１〜６およびメニューのアイコンは、図１に示すユーザＩＦ１２８の一例である。
【００４５】
図３において、地図画像１０の右上には、ヘルプボタン１１が表示されている。なお、ヘルプボタン１１は、カーナビ画像外に、機械的なスイッチとして備えられていてもよい。ユーザがヘルプボタン１１を操作すると、車載情報表示処理装置１２０はヘルプモードに移行する。そして、車載情報表示処理装置１２０は、表示装置１２７に表示中のカーナビ画像において、操作説明情報に含まれる情報のうち、ユーザの入力操作に関連する情報に対応する画像の表示のみを浮かびあがらせるために、グレーアウト処理を行う。
【００４６】
すなわち、車載情報表示処理装置１２０は、表示中のカーナビ画像において、操作説明情報に含まれても、操作に関連しない情報に対応する画像（例えば自車位置マークや周辺の地図表示など）の画像の表示を灰色にする。
【００４７】
図３は、ユーザがヘルプボタン１１を操作したことにより、グレーアウト処理が行われたカーナビ画像の表示例である。図４では、地図画像１０が灰色で表示されることで、機能画像２０が強調して表示されている。
【００４８】
また、本実施の形態においては、グレーアウト処理を行なうとともに、以下の処理を行なうことを特徴としている。すなわち、本実施の形態では、表示中のカーナビ画像の全体または一部（たとえばアイコンを表示する領域以外の領域など）を縮小し、キーワード検索ができるよう、キーワードを入力するための領域としてのキーワード入力領域１２を設けるようにしている。キーワード入力領域１２を設けることで検索の自由度が広がり、より使い勝手よくヘルプ機能を利用することができる。この場合、キーワード入力領域１２はグレーアウト処理の対象外とするのが好ましい。
【００４９】
ヘルプボタン１１は、図１に示す表示装置１２７に表示される画像の一部であり、ユーザＩＦ１２８の操作対象の一例である。よって、ヘルプボタン１１が操作された場合、図１において、操作検出部１２１は、ヘルプボタン１１が操作されたことを中央処理部１２３に通知する。中央処理部１２３は、信号送信部１２６を介して、プログラム起動信号を携帯端末１００に送信する。また、このとき、中央処理部１２３は、グレーアウト処理実行信号を画像処理部１２５へ送信する。グレーアウト処理実行信号を受けた画像処理部１２５は、上述したグレーアウト処理を行う。ただし、グレーアウト処理が行なわれた後においても、表示中の画面（例えば、図４においては自車位置周辺の地図表示）を遷移させて通常動作同様に機能させてよい。
【００５０】
プログラム起動信号を受信した携帯端末１００は、ビューアアプリを起動し、待機状態となる。ここでいうビューアアプリは、表示画面１１２において、ユーザが操作説明情報を閲覧できるアプリケーションプログラムである。なお、プログラム起動信号を受信した場合、携帯端末１００は、ビューアアプリを起動せず、例えば、表示画面１１２の一部に、プログラム起動信号を受信した旨を表示するなどして、ユーザが携帯端末１００を自由に使用できる状態としてもよい。
【００５１】
以下、図４の画面例において、ユーザが調べたい機能のアイコンを操作した場合を例に、車載情報表示処理装置１２０の動作について説明する。図５は、操作検出部１２１の動作例を示すフロー図である。図６は、データベース制御部１３０の動作例を示すフロー図である。
【００５２】
まず、図５のフローについて説明する。
【００５３】
ステップＳ４００において、操作検出部１２１は、ユーザによって操作が行われるのを待機する。ここで、例えば、ユーザは、図４に示す機能画像２０のうち、機能１のアイコンを指定して操作したとする。ただし、キーワード入力領域１２に入力されたキーワードもユーザに指定されたアイコンと同様の扱いとすることができる。
【００５４】
ステップＳ４０１において、操作検出部１２１は、ユーザにより操作された部分を特定する。ここでは、操作検出部１２１は、機能１のアイコンの表示部分を特定する。
【００５５】
ステップＳ４０２において、操作検出部１２１は、特定した部分に基づいて、機能名情報を生成する。この生成について、以下に具体的に説明する。まず、操作検出部１２１は、画面表示処理部１２４からカーナビ画像情報を取得し、かつ、ユーザＩＦ１２８から座標情報を取得する。
【００５６】
次に、操作検出部１２１は、カーナビ画像情報のうち座標情報に該当する画像を特定し、その特定された画像に予め関連付けらている情報に基づいて、機能名情報を生成する。座標情報とは、ユーザにより操作されたアイコンの、画面上の座標を示す情報である。また、カーナビ画像情報とは、表示装置１２７に表示中のカーナビ画像を示す情報である。
【００５７】
カーナビ画像情報は、それを構成する各画像（例えば、アイコン）に、当該画像に関するキーワードおよび整理番号が紐付けられている。例えば、カーナビ画像情報において、機能画像２０を構成するアイコンには、キーワードとしての機能名、および、その機能名を識別可能な整理番号が紐付けられている。
【００５８】
よって、機能名情報は、キーワードおよび整理番号によって構成される。なお、以下では、例として、整理記号の一例を整理番号として説明するが、番号に限定されるものではない。
【００５９】
また、ユーザがキーワード入力領域１２に検索キーワードを入力した場合は、上記ステップＳ４０２において説明した「機能名」にユーザが入力した検索キーワードがそのまま（あるいは検索キーワードの一部）適用される。
【００６０】
ステップＳ４０３において、操作検出部１２１は、生成した機能名情報をデータベース制御部１３０へ送出する。この機能名情報は、データベース制御部１３０により、操作説明書データベース１３１に格納されている操作説明情報（例えば、文字列、説明図）と照合される。この動作の詳細は、図６のフローに示す。
【００６１】
次に、図６のフローについて説明する。
【００６２】
ステップＳ３００において、データベース制御部１３０は、操作検出部１２１からの機能名情報を、キーワードと整理番号に分ける。整理番号は、大分類識別番号（大ノード識別番号）、中分類識別番号（中ノード識別番号）、小分類識別番号（小ノード識別番号）を備えている。そして、データベース制御部１３０は、キーワードおよび整理番号を一時保存する。この保存先は、データベース制御部１３０の記憶媒体またはデータベース制御部１３０外部の記憶媒体が挙げられるが、データベース制御部１３０が容易にアクセス可能な記憶媒体が好ましい。
【００６３】
ステップＳ３０１において、データベース制御部１３０は、操作説明書データベース１３１にアクセスする。まず、データベース制御部１３０は、操作説明書データベース１３１の大ノードのうち、第１大ノードから比較を開始する。
【００６４】
ステップＳ３０２において、データベース制御部１３０は、操作説明情報の大ノード（操作説明書の索引の大分類）を特定できたか否かを判断する。この判断は、次のように行われる。まず、データベース制御部１３０は、第１大ノードのアドレスに基づいて第１大ノードにアクセスし、その整理番号を読み出す。そして、データベース制御部１３０は、第１大ノードの整理番号と、機能名情報から分けた整理番号の大分類識別番号とを比較する。
【００６５】
上記比較の結果、両者が一致しない場合（ステップＳ３０２：ＮＯ）、データベース制御部１３０は、大ノードを特定できなかったと判断する。そして、データベース制御部１３０は、比較対象を、第１大ノードから次の第２大ノードへ変更する。そして、データベース制御部１３０は、第１大ノードのときと同様にして、第２大ノードの整理番号を読み出し、その整理番号と、大分類識別番号とを比較する。このように、比較の結果が一致しない場合、データベース制御部１３０は、比較対象となる大ノードを変更していき、変更した大ノードの整理番号と、大分類識別番号との比較を行う。
【００６６】
一方、上記比較の結果、両者が一致した場合（ステップＳ３０２：ＹＥＳ）、データベース制御部１３０は、大ノードを特定できたと判断する。そして、データベース制御部１３０は、当該大ノードのアドレスを保存し、当該大ノードの下位に属する中ノードを読み出す。
【００６７】
ステップＳ３０３において、データベース制御部１３０は、操作説明情報の中ノード（操作説明書の索引の中分類）を特定できたか否かを判断する。この判断は、ステップＳ３０２と同様、次のように行われる。まず、データベース制御部１３０は、第１中ノードのアドレスに基づいて第１中ノードにアクセスし、その整理番号を読み出す。そして、データベース制御部１３０は、第１中ノードの整理番号と、機能名情報から分けた整理番号の中分類識別番号とを比較する。
【００６８】
上記比較の結果、両者が一致しない場合（ステップＳ３０３：ＮＯ）、データベース制御部１３０は、中ノードを特定できなかったと判断する。そして、データベース制御部１３０は、比較対象を、第１中ノードから次の第２中ノードへ変更する。そして、データベース制御部１３０は、第１中ノードのときと同様にして、第２中ノードの整理番号を読み出し、その整理番号と、中分類識別番号とを比較する。このように、比較の結果が一致しない場合、データベース制御部１３０は、比較対象となる中ノードを変更していき、変更した中ノードの整理番号と、中分類識別番号との比較を行う。
【００６９】
一方、上記比較の結果、両者が一致した場合（ステップＳ３０３：ＹＥＳ）、データベース制御部１３０は、中ノードを特定できたと判断する。そして、データベース制御部１３０は、当該中ノードのアドレスを保存し、当該中ノードの下位に属する小ノードを読み出す。
【００７０】
ステップＳ３０４において、データベース制御部１３０は、操作説明情報の小ノード（操作説明書の索引の小分類）を特定できたか否かを判断する。この判断では、まず、ステップＳ３０２およびＳ３０３と同様、整理番号の比較が行われる。なお、比較の方法は、上述した通りであるので、ここでの説明は省略する。
【００７１】
また、整理番号の比較の他に、データベース制御部１３０は、機能名情報から分けたキーワードと、各小ノードに関連付けられた文字列（説明文）とを比較する処理も行う。この比較の場合も、キーワードと文字列とが一致した場合、データベース制御部１３０は、小ノードを特定できたと判断する。
【００７２】
その一方で、キーワードと文字列とが一致しない場合、データベース制御部１３０は、小ノードを特定できなかったと判断し、比較対象を、次の小ノードの文字列に変更して、再度キーワードと比較する。
【００７３】
このような２つの比較の結果、データベース制御部１３０は、小分類識別番号と一致する整理番号を有する小ノード、および、キーワードと一致する文字列が関連付けられた小ノードを特定する。
【００７４】
ステップＳ３０５において、データベース制御部１３０は、特定した小ノードのアドレスを、例えばデータベース制御部１３０のＲＡＭに保存する。なお、データベース制御部１３０は、特定した小ノードのうち、小分類識別番号が整理記号と完全に一致した小ノードのアドレスを、ＲＡＭの１番最初のアドレスに保存する。それ以降は、データベース制御部１３０は、キーワードと合致する文字列が多い小ノード順に、そのアドレスをＲＡＭに保存していく。
【００７５】
ステップＳ３０６において、データベース制御部１３０は、保存した小ノードのアドレスを、ブロックリンク情報として中央処理部１２３へ送出する。ブロックリンク情報とは、操作説明書データベース１３１に格納されている任意のブロックへリンクする情報という意味である。
【００７６】
以上で図６のフローは終了するが、その後の動作について、続けて説明する。
【００７７】
中央処理部１２３は、信号送信部１２６を介して、携帯端末１００へブロックリンク情報を送信する。これにより、携帯端末１００は、ユーザが所望する機能の操作説明にリンク可能なブロックリンク情報の生成が完了したことが伝えられる。
【００７８】
携帯端末１００において、画面表示処理部１１３は、信号受信部１１１を介して、ブロックリンク情報を受信する。そして、画面表示処理部１１３は、受信したブロックリンク情報に基づいて、リンク先のリストを、表示画面１１２に表示させる。
【００７９】
図７は、本発明の実施の形態１における操作項目情報の表示例を示す図である。図７は、具体的には画面表示処理部１１３が受信したブロックリンク情報に基づいて表示画面１１２に表示させる、リンク先のリストの一例を示す。
【００８０】
図７に示す例では、ユーザが「目的地」に関する操作説明情報の検索を行った場合に得られるリストの一例である。図７に示すように、検索結果一覧画面９００には、「目的地」に関連する操作説明情報の操作項目情報９０１ａ〜９０１ｃがそれぞれ表示される。
【００８１】
このように例えば、画面表示処理部１１３は、アドレスの番号順に、キーワードと一致した文字列を、箇条書きでリスト表示するのが直感的で分りやすいが、さらに、例えば、画面表示処理部１１３は、リンク先の説明図や文字列を小さく表示してもよい。
【００８２】
さらに、ブロックリンク情報とブロックリンク情報のリンク先のブロックの簡単な説明（操作項目情報）とを予め紐付けておいて、表示画面１１２に、それぞれ対応するブロックリンク情報とそのリンク先の操作項目情報とが表示されるようにしてもよい。
【００８３】
また、中央処理部１２３は、携帯端末１００へブロックリンク情報を送信すると、画像処理部１２５に対し、グレーアウト解除信号を送出する。これにより、画像処理部１２５は、画面表示処理部１２４を介して、表示装置１２７に表示中のカーナビ画像のグレーアウト処理を解除する（ヘルプモードの解除）。これにより、図４に示すカーナビ画像が、図３に示す状態に戻る（通常モードあるいは他モードへの移行）。
【００８４】
ユーザは、携帯端末１００の表示画面１１２に表示されたリンク先のリストの中から、任意のリンクをユーザＩＦ１１５を操作して選択する。
【００８５】
この操作を検出した操作検出部１１４は、操作が行われた部分のアドレスを、信号送信部１１６を介して、車載情報表示処理装置１２０へ送信する。このアドレスは、車載情報表示処理装置１２０において、信号受信部１２２からデータベース制御部１３０へ送出される。
【００８６】
データベース制御部１３０は、受け取ったアドレスに基づいて操作説明書データベース１３１へアクセスし、操作が行われた部分のアドレスに対応した操作説明情報を取得する。データベース制御部１３０は、取得した操作説明情報を、中央処理部１２３へ送出する。
【００８７】
中央処理部１２３は、その操作説明情報を、信号送信部１２６を介して、信号受信部１１１へ送信する。この操作説明情報は、携帯端末１００において、信号受信部１１１から画面表示処理部１１３へ送出される。
【００８８】
画面表示処理部１１３は、受け取った操作説明情報を表示画面１１２に適したサイズに再構成し、表示画面１１２に送出する。これにより、ユーザにより選択されたリンク先の情報、すなわち、操作説明書の項目、文字列、図などが、表示画面１１２に表示される。
【００８９】
以上のように、本実施の形態によれば、ユーザは、表示装置１２７に表示されたカーナビ画像において、情報を得たい機能のアイコンを操作すると、車載情報表示処理装置１２０とは別の携帯端末１００の表示画面１１２にその機能についての操作説明が表示される。よって、ユーザは、所望の機能について、より適切な操作説明情報を得ることができる。
【００９０】
（実施の形態２）
本発明の実施の形態２について、図面を参照しながら説明する。
【００９１】
実施の形態２は、説明の便宜上、画面遷移代行モードの状態にあるとして説明する。画面遷移代行モードとは、上記実施の形態１で説明した、携帯端末１００にて車載情報表示処理装置１２０の操作説明が表示されている状態から始まることを想定する。
【００９２】
図８にこの状態を示す。すなわち、図８は、本発明の実施の形態２における画面遷移代行モードの初期表示の一例を示す図であって、図７に示す状態から、ユーザが操作項目情報９０１ａを選択操作した後の状態を示す図である。
【００９３】
以下の説明では、この状態における携帯端末１００の表示画面１１２に表示される画面を「操作説明情報画面」と称する。
【００９４】
操作説明情報画面では、文字列１００１および説明図１００２のうち、操作すべき箇所としてアイコン１００３が強調表示される。文字列１００１および説明図１００２は、実際にユーザが車載情報表示処理装置１２０に対して入力操作を行う際に表示装置１２７の画面に表示される画像である。また、アイコン１００３は、事前にユーザが選択した操作項目情報に対応したアイコンである。
【００９５】
または、画面遷移代行モードは、携帯端末１００にて操作説明書の表示用ソフトウェアがすでに起動し、操作説明が表示されている状態から始まることを想定する。
【００９６】
本実施の形態の車載情報表示処理システムの動作例について説明する。なお、本実施の形態の車載情報表示処理システムの構成例は、実施の形態１で説明した図１と同じであるので、ここでの説明は省略する。
【００９７】
まず、図９のフローについて説明する。
【００９８】
画面遷移代行モードの開始時は、車載情報表示処理装置１２０の信号受信部１２２が携帯端末１００からの信号（情報）の受信を待機する。
【００９９】
ここで、携帯端末１００の表示画面１１２には、操作情報（例えば、操作説明情報の説明項目である文字列または図など）が表示されているとする（一例として図８参照）。そして、ユーザは、ユーザＩＦ１１５を使って、表示されている文字列または図を選択する。ここで選択される文字列または図は、ユーザが所望する機能を示す。この機能は、例えば、ＣＤ（Compact Disc）の再生、ラジオの受信、テレビの受信、カーナビの設定などが挙げられる。
【０１００】
操作説明情報画面において選択されたアイコン１００３を操作する（Ｓ５０１）と、ステップＳ５０２において、操作検出部１１４は、ユーザによって選択されたアイコン１００３に紐付けられている整理記号を取得する。そして、操作検出部１１４は、取得した整理番号を、信号送信部１１６を介して、車載情報表示処理装置１２０へ送信する。ただし、文字列１００１に整理記号が紐付けられていても良い。
【０１０１】
ステップＳ５０３において、信号受信部１２２は、携帯端末１００から受信した整理番号を、データベース制御部１３０へ出力する。
【０１０２】
ステップＳ５０４において、データベース制御部１３０は、整理番号を保存する。
【０１０３】
ステップＳ５０５において、データベース制御部１３０は、保存した整理番号と同じ整理番号を有するノードを、操作説明書データベース１３１から検索する。
【０１０４】
ステップＳ５０６において、データベース制御部１３０は、保存した整理番号と同じ整理番号を有するノードが見つかるまで検索を繰り返す（ステップＳ５０６：ＮＯ）。そして、ノードを検索できたら（ステップＳ５０６：ＹＥＳ）、フローは、ステップＳ５０７へ進む。なお、ここで検索したノードは、以下、「ユーザ指定ノード」という。
【０１０５】
ステップＳ５０７において、データベース制御部１３０は、根ノードからユーザ指定ノードまでの最短の順路（アドレス）を調べる。ここで、根ノードには、例えば、車載情報表示処理装置１２０の基本画面に対応する対応画面図（対応画面図については実施の形態１参照）を表示するための操作プログラムが付与されている。
【０１０６】
また、ユーザ指定ノードには、例えば、ユーザが所望する機能を通常モードにて実行した際に表示される画面に対応する対応画面図を表示するための操作プログラムが付与されている。
【０１０７】
また、順路を調べる方法は、例えば、図６のフローチャートの処理と同じであってよい。但し、データベース制御部１３０は、上述した図６の説明におけるキーワード検索は行わず、ユーザ指定ノードまでの最短経路の検索を行う。
【０１０８】
そして、データベース制御部１３０は、根ノードからユーザ指定ノードまでのアドレス、換言すれば、一連の画面遷移のフローを、例えばＤＭＡ（Direct Memory Accessing）によって保存する。
【０１０９】
ステップＳ５０８において、データベース制御部１３０は、保存した画面遷移フローからアクセスできる各ノード、すなわち、根ノードからユーザ指定ノードまでの各ノードに付与されている操作プログラムを読み込む。操作プログラムは、例えば、当該操作プログラムが付与されたノードに含まれる対応画面図を表示するためのプログラムである。
【０１１０】
なお、根ノードに付与されている操作プログラムは、地図案内画面（基本画面の一例）を表示するプログラムである。地図案内画面とは、例えば、図３に示すカーナビ画像である。
【０１１１】
ステップＳ５０９において、データベース制御部１３０は、画面遷移フローの順に読み込んだ操作プログラムが正しく実行処理されるように、各操作プログラムを最適化して保存する。最適化した操作プログラムは、「画面遷移プログラム」という。
【０１１２】
次に、図１０のフローについて説明する。図１０のフローは、図９のフローに続けて行われる。
【０１１３】
ステップＳ６０１において、データベース制御部１３０は、画面遷移プログラムの最初の部分、つまり、根ノードの操作プログラムを展開し、中央処理部１２３に送出する。
【０１１４】
ステップＳ６０２において、データベース制御部１３０は、信号の受け取りを待機する。
【０１１５】
ステップＳ６０３において、中央処理部１２３は、根ノードの操作プログラムを実行し、根ノードの画像情報を画像処理部１２５へ出力する。根ノードの画像情報は、地図案内画面を示す情報である。
【０１１６】
ステップＳ６０４において、中央処理部１２３は、信号の受け取りを待機する。
【０１１７】
ステップＳ６０５において、画像処理部１２５は、画面表示処理部１２４を介して、根ノードの画像情報に基づいて、表示装置１２７に地図案内画面を表示する。そして、画像処理部１２５は、地図案内画面の表示に切り替えたことを、中央処理部１２３を介して、データベース制御部１３０へ通知する。
【０１１８】
ステップＳ６０６において、画像処理部１２５は、信号の受け取りを待機する。
【０１１９】
ステップＳ６０７において、データベース制御部１３０は、地図案内画面の表示へ切り替えた旨の通知を受け取ると、画面遷移プログラムから、根ノードの次のノードの操作プログラムを読み出し、中央処理部１２３へ送出する。根ノードの次のノードの操作プログラムは、例えば、メニュー画面を表示するプログラムである。
【０１２０】
根ノードの次のノード以降の各ノードの操作プログラムは、本来はユーザの操作を基に行われるが、本実施の形態では、ユーザの操作を必要とせずに自動で行われるようにする。
【０１２１】
そのため、中央処理部１２３は、操作プログラムに記載の各行ごとに待機時間を設けるなど、操作プログラムに実行命令などを追加する。この詳細については、ステップＳ６０９において後述する。
【０１２２】
ステップＳ６０８において、データベース制御部１３０は、信号の受け取りを待機する。
【０１２３】
ステップＳ６０９において、中央処理部１２３は、データベース制御部１３０からの操作プログラムを、操作代行プログラムへ変換する。操作代行プログラムとは、本来ユーザの操作に基づいて実行される操作プログラムを、ユーザの操作を必要とせずに自動で実行するように変換したプログラムである。
【０１２４】
中央処理部１２３は、データベース制御部１３０からの操作プログラムに対し、その操作プログラムがユーザの操作により実行された場合と同じ適切な処理フローになるように所定の命令を追加する。ここで追加される命令は、例えば、待機命令、または、アイコンが選択された際のアイコンの色の変化などの処理の命令がある。このように命令を追加することで、操作プログラムは操作代行プログラムへ変換される。
【０１２５】
ステップＳ６１０において、中央処理部１２３は、操作代行プログラムを実行する。この操作代行プログラムの実行の際、本来はユーザが実行する部分（例えばアイコンの選択など）も中央処理部１２３が実行する。
【０１２６】
中央処理部１２３は、操作代行プログラムの実行により得られた、ノードの画像情報を、画像処理部１２５へ出力する。ここで、中央処理部１２３は、操作代行プログラムの一の処理（命令）の実行ごとに、得られた画像情報を画像処理部１２５へ送出する。
【０１２７】
ステップＳ６１１において、画像処理部１２５は、画面表示処理部１２４を介して、中央処理部１２３からの画像情報を、表示装置１２７に表示中の画像に反映させて表示する。
【０１２８】
図１１に操作代行プログラムが実行された際に表示装置１２７に表示される画面の遷移の一例を示す。図１１に示す例では、ユーザが目的地を設定する際の画面遷移が示されている。より詳細には、基本画面から設定すべき目的地を検索（設定）するためにユーザが文字入力できる画面（文字入力画面）を表示させるまでの画面遷移を操作代行プログラムによって表示させる例が示されている。
【０１２９】
図１１に示すとおり、操作代行プログラムが開始されると、表示装置１２７には先ず基本画面１１０ａが表示される。また、表示装置１２７には、基本画面１１０ａの表示から文字入力画面１１０ｄの表示までに切換えるべきユーザ操作が必要な画面（１１０ｂ、１１０ｃ）がｔ秒毎にそれぞれ表示される。
【０１３０】
また、表示される各画面には、次の画面に遷移するために操作が必要なアイコン（あるいはそれに類するもの）を強調表示（他のアイコンと明確に区別できるように色を際立たせたり、点灯・点滅させたり、拡大表示するなど）させる。
【０１３１】
ただし、画面遷移に必要な画面の数は１１０ａ〜１１０ｄの４つとは限らず、さらに、各画面の表示時間をｔ秒の一定とする必要はない。
【０１３２】
なお、操作代行プログラムの処理が全て実行されて、全ての処理情報が画像処理部１２５に送出されるまで、中央処理部１２３は、操作検出部１２１からの信号を受信しない。
【０１３３】
また、中央処理部１２３が画像情報を画像処理部１２５へ送出しない間（例えば、信号の受け取り待機の実行中、操作代行プログラムの待機命令の実行中）において、例えば、地図案内画面上で、現在地が逐次変化することが考えられる。そこで、操作代行プログラムの実行中において、中央処理部１２３は、現在地の変化を示す画像情報も、画像処理部１２５に逐次出力する。
【０１３４】
また、データベース制御部１３０は、現在のノードのアドレスを保持したまま、画像処理部１２５からのプログラム実行完了通知を受け取るまで次の処理を行わない。
【０１３５】
ステップＳ６１２において、中央処理部１２３は、操作代行プログラムの全ての処理が実行されるまで処理を繰り返す（ステップＳ６１２：ＮＯ）。そして、操作代行プログラムの全ての処理が終了したら（ステップＳ６１２：ＹＥＳ）、フローは、ステップＳ６１３へ進む。
【０１３６】
ステップＳ６１３において、中央処理部１２３は、操作代行プログラムの最後の処理が終了すると、操作代行プログラムが完了した旨を、データベース制御部１３０へ通知する。データベース制御部１３０はプログラム完了通知が入力されることで、次のノードの情報を読み出す判断処理を実行する。
【０１３７】
ステップＳ６１４において、データベース制御部１３０は、操作代行プログラムが完了した旨の通知を受けると、ステップＳ６０７で読み出したノードが最終ノード（ユーザ指定ノード）であるか否かを判断する。
【０１３８】
例えば、データベース制御部１３０は、次のノードのアドレスが登録されていれば、最終ノードではないと判断する（ステップＳ６１４：ＮＯ）。そして、フローは、ステップＳ６０７へ戻る。よって、データベース制御部１３０は、画面遷移プログラムから、さらに次のノードの操作プログラムを読み出し、中央処理部１２３へ送出する。その後は、上述したステップＳ６０９〜Ｓ６１３の通りに進む。
【０１３９】
最終ノードの操作代行プログラムの実行が終了した場合（ステップＳ６１４：ＹＥＳ）、フローは、終了する（遷移代行モードの解除）。
【０１４０】
その後、中央処理部１２３は、通常の処理動作に戻り、操作検出部１２１から信号の受け取りを待機する。また、データベース制御部１３０および中央処理部１２３は、それぞれ、図９，１０に示すフローで保存した情報は全て削除する。
【０１４１】
以上のように、本実施の形態によれば、ユーザは、携帯端末１００に表示された操作説明の画像において、所望の機能を説明した項目（文字列、図）を選択すると、基本画面から所望の機能を開始可能な画面まで、表示装置１２７上で自動的に画面が遷移して表示される。
【０１４２】
例えば、ユーザが、携帯端末１００の表示から「ＣＤの再生」を説明した項目を選択した場合、表示装置１２７では、地図案内画面→メニュー画面→音楽のトップ画面→ＣＤの再生画面というように、本来はユーザの操作を基に実行される画面の遷移が、自動で行われる。これにより、ユーザは、所望の機能を開始可能な画面まで、どのような画面を操作して遷移させていくのかを、知ることができる。
【０１４３】
また、ユーザは、複数の操作とそれに伴う複数の画面の遷移を必要とする機能を所望する場合、携帯端末１００に表示されている説明項目を選択しさえすればよい。これにより、ユーザが複数の操作を行わなくても、表示装置１２７では、画面の遷移が自動的に行われ、最終的に、所望の機能を開始可能な画面が表示される。すなわち、ユーザは、使用したい機能を素早く起動させることができる。
【０１４４】
（実施の形態３）
実施の形態３は、説明の便宜上、操作誘導モードの状態であるとして説明する。
【０１４５】
操作誘導モードとは、上記実施の形態２で説明した画面遷移代行モードの処理が完了し、携帯端末１００にて車載情報表示処理装置１２０の操作説明（図１２および図１３に例示するような操作説明情報画面）が表示されている状態から始まることを想定する。または、実施の形態３は、携帯端末１００にて操作説明書の表示用ソフトウェアがすでに起動し操作説明情報画面が表示されている状態から始まることを想定する。
【０１４６】
本発明の実施の形態３について、図面を参照しながら説明する。実施の形態３では、ユーザ操作に対する情報表示処理システムの応用例が示される。本実施の形態の車載情報表示処理システムの構成例は、実施の形態１で説明した図１に示される構成と同じであるため、ここでの説明は省略する。
【０１４７】
本発明の実施の形態３における携帯端末１００および車載情報表示処理装置１２０の動作について、図１４を用いて以下に説明する。
【０１４８】
ただし、携帯端末１００の画面表示処理部１１３においては、初期状態にて、「次説明画面遷移あり」なる前提条件宣言がされているものとする。ここでいう前提条件宣言とは、車載情報表示処理装置１２０に対するユーザの操作があったことが車載情報表示処理装置１２０から携帯端末１００へ通知された場合には別の説明画面へ移行する、という意味である。
【０１４９】
本実施の形態においては、上記実施の形態２で説明した、携帯端末１００に表示される操作説明情報画面の表示内容のうち、車載情報表示処理装置１２０の表示画面をあらわす図と同じ（あるいは同等）内容が表示装置１２７の画面に表示される。
【０１５０】
この場合、図１４に示すように、車載情報表示処理装置１２０は、中央処理部１２３が画像処理部１２５へ画像情報を出力し表示装置１２７に画像を表示させる（ステップＳ１４０１）。これとともに、中央処理部１２３が信号送信部１２６へ画像情報を出力し、携帯端末１００へ画像情報を送信する（ステップＳ１４０２）。ステップＳ１４０２の後は、携帯端末１００の画面表示処理完了待ちとなる（ステップＳ１４０３）。
【０１５１】
すると、携帯端末１００においては、画面表示処理部１１３が車載情報表示処理装置１２０から受信した画像情報を操作説明情報画面の図が表示されている箇所へ反映（合成）する（ステップＳ１４０４）。その後、画面表示処理部１１３は、表示画面１１２に画像表示の反映が完了したことを車載情報表示処理装置１２０へ通知する（ステップＳ１４０５）。画面表示処理部１１３は、ステップＳ１４０５の通知処理を行なった後は待機状態となる（ステップＳ１４０６）。
【０１５２】
ステップＳ１４０５の処理により携帯端末１００から通知を受信すると、車載情報表示処理装置１２０は、操作検出部１２１がユーザＩＦ１２８にユーザから入力操作があったか否かを検知する（ステップＳ１４０７）。ステップＳ１４０７にてユーザからの操作が検知されない場合（ステップＳ１４０７：Ｎｏ）、ステップＳ１４０７の検知処理を繰り返す。
【０１５３】
ステップＳ１４０７にてユーザの入力操作が検知された場合（ステップＳ１４０７：Ｙｅｓ）、操作された部位の画面上の座標を操作検出部１２１から取得する（ステップＳ１４０８）。その後、データベース制御部１３０から、次画面への移行条件となる現画面上の「操作すべき箇所（アイコン）」の座標を取得する（ステップＳ１４０９）。
【０１５４】
ステップＳ１４０９の次にステップＳ１４０８にて検知された座標とステップＳ１４０９にて取得された座標とを比較して以下の内容の判定を行う（ステップＳ１４１０）。
【０１５５】
すなわち、図１３で例示するように、ユーザからの操作は、現在表示している画面（現画面）における選択操作なのか、現画面から現画面とは異なる別画面への遷移を伴う確定操作なのか、の判定である。上記選択操作とは、例えば、五十音表記されている各アイコンまたは「変換」アイコンに対する操作である。また、上記確定操作とは、例えば、「検索」アイコンまたは「戻る」アイコンに対する操作である。
【０１５６】
ステップＳ１４１０においては、別画面への遷移を伴う確定操作か否かで判定を行っている。ステップＳ１４１０にて「Ｙｅｓ」の場合、すなわち、別画面への遷移を伴う確定操作が行われたと判定された場合、中央処理部１２３は、データベース制御部１３０から次の説明情報を取得する（ステップＳ１４１１）。
【０１５７】
ステップＳ１４１１にて情報を取得すると、中央処理部１２３は、この情報から次に表示すべき操作説明情報画面に必要な図と文字列とを抽出する（ステップＳ１４１２）。そして、中央処理部１２３は、抽出した情報を画像処理部１２５に出力し、表示装置１２７に表示させる（ステップＳ１４１３）。また、中央処理部１２３は、信号送信部１２６へ次の操作説明情報およびこれに対応する画像情報を出力し、携帯端末１００へ送信させる（ステップＳ１４１４）。
【０１５８】
ここで説明をステップＳ１４１０にて「Ｎｏ」の場合の処理に戻す。ステップＳ１４１０にて「Ｎｏ」と判定された場合、すなわち、ユーザの操作が、現画面における選択操作などであったと判定された場合、ステップＳ１４０８にて取得した座標に応じた処理を現画面の更新画面として画面表示内容に反映する（ステップＳ１４１５）。
【０１５９】
ここで、ステップＳ１４０８にて取得した座標に応じた処理とは、たとえば図１５に示すように、ユーザが五十音表記されているアイコンを選択操作した場合に選択した文字を所定の領域（入力文字列領域１５１）に列挙するなどの処理である。
【０１６０】
中央処理部１２３は、ステップＳ１４１５の処理を終えると、画像処理部１２５に更新画面の画像情報を出力し、表示装置１２７に更新画面を表示する（ステップＳ１４１６）。この表示とともに、中央処理部１２３は、携帯端末１００に別の画面（説明画面）への遷移が不要であることを通知する（ステップＳ１４１７）。その後、中央処理部１２３は信号送信部１２６を介して更新画面のデータを携帯端末１００へ送信する（ステップＳ１４１８）。
【０１６１】
ステップＳ１４１４およびステップＳ１４１８の処理を終えると、中央処理部１２３は携帯端末１００からの処理完了の通知待ち状態となり（ステップＳ１４１９）、後述する携帯端末１００からの処理完了の通知を受信すると、処理を終了する。
【０１６２】
携帯端末１００の画面表示処理部１１３が実行する処理フローに説明を戻す。ステップＳ１４０６にて待機状態になった後、車載情報表示処理装置１２０の中央処理部１２３がステップＳ１４１７の処理を行なうと、画面表示処理部１１３は、車載情報表示処理装置１２０からの通知を受信してステップＳ１４２０に進む。
【０１６３】
ステップＳ１４２０において、画面表示処理部１１３は、「別の画面への遷移が不要である」旨の通知を受信する。この通知を受けると画面表示処理部１１３は、待機状態を抜けて処理を再開する（ステップＳ１４２０）。
【０１６４】
ステップＳ１４２０では、別の画面への遷移が不要であるか否かの判定を行う。受信した通知は「別の画面への遷移が不要である」なる内容であるため、ステップＳ１４２０にてＹｅｓとなり、ステップＳ１４２１へ進む。
【０１６５】
ステップＳ１４２１では、ステップＳ１４１８の処理によって車載情報表示処理装置１２０から受信した更新画面のデータを受信する。その後このデータが示す更新画面を表示画面１１２に表示し（ステップＳ１４２２）、更新画面の表示処理が完了したことを車載情報表示処理装置１２０へ通知して（ステップＳ１４２３）処理を終了する。
【０１６６】
以上の処理において、図１５に示す入力文字列領域１５１への文字列の反映を１文字入力するごとにスタートから終了までの処理を行っても良いが、これに限定されない。例えば、複数の文字を入力した後に「確定」アイコンが操作された場合にのみステップＳ１４１５以降の処理を行なうようにしても良い。
【０１６７】
ユーザによって別画面への遷移を伴う確定操作が行われた場合（ステップＳ１４２０：Ｎｏ）、画面表示処理部１１３は、上述のステップＳ１４１４にて車載情報表示処理装置１２０から次の操作説明情報およびこれに対応する画像情報を受信する（ステップＳ１４２４）。そして、画面表示処理部１１３は、受信した画像情報が示す画像を表示画面１１２に表示して（ステップＳ１４２５）、処理を終了する。
【０１６８】
ユーザによって別画面への遷移を伴う確定操作が行われる例としては、以下の場合がある。例えば、図１５に示す表示装置１２７の表示内容のように、特定の文字列を入力文字列領域１５１に反映させた後に「検索」のアイコンが操作された場合がある。また、例えば、その次に別画面へ遷移した後の表示内容（図１６参照）のうち、ユーザが選択したアイコン（図１６のアイコン１６１）を操作する場合がある。また、例えば、さらにその次の遷移後の表示（図１７参照）における「目的地に設定」アイコン１７１などを操作する場合がある。すなわち、車載情報表示処理装置１２０に対するユーザの所望の機能が実施されるまで上述の処理フローが繰り返される。
【０１６９】
以上のように、本実施の形態によれば、ユーザは、実際に操作すべき車載情報表示処理装置１２０に表示された更新画面や遷移後の別の画面と同じ画面を携帯端末１００の画面で閲覧でき、当該画面に関する操作説明および操作手順を確認できる。これにより、ユーザは適切な操作説明を直感的に理解することができる。
【０１７０】
（実施の形態４）
本発明の実施の形態４について、図面を参照しながら説明する。実施の形態４では、ユーザ操作に対する情報表示処理システムの他の応用例が示される。
【０１７１】
本実施の形態の車載情報表示処理システムの動作例について説明する。本実施の形態の車載情報表示処理システムの構成例は、実施の形態１で説明した図１に示される構成と同じであるため、ここでの説明は省略する。
【０１７２】
実施の形態４は、上記実施の形態３で説明した操作誘導モードの途中の状態から始まることを想定する。すなわち、本実施の形態で説明する動作は、操作誘導モードの変形例として位置づけられる。
【０１７３】
図１８に本発明の実施の形態４における車載情報表示処理システムの表示例を示す。図１８に示される状態は、実施の形態３の状態とは異なり、ユーザが音楽を聴くことを望んでいる場合に操作誘導モードを実行させていて、基本メニュー画面が表示されている状態とする。
【０１７４】
この状態において、ユーザは表示装置１２７に表示されている「音楽」のアイコン（音楽アイコン１８１）を操作しなければならない。しかし、誤操作などにより「目的地」アイコンを操作してしまった場合、ユーザは、操作説明情報を表示している携帯端末１００の表示画面１１２に操作すべき箇所の図など（この場合「音楽」のアイコン１８１）を強調させる表示処理を行なう。
【０１７５】
図１８においては、音楽アイコン１８１に太枠と指の矢印図１８５を追加し、操作を促すための強調表示処理を行なった画面を例示している。ただし、強調の仕方はこれらに限らず、点滅や点灯、色の変化、該当アイコン（図）の拡大など、ユーザの操作を促せる方法であれば良い。
【０１７６】
以下に、図１９を用いて、本発明の実施の形態４における車載情報表示処理システムの詳細な処理動作の説明を示す。
【０１７７】
上述したとおり、本処理動作については、実施の形態３で説明した操作誘導モードの途中から始まり、途中に合流するフローとなるため、図１４を用いて説明した実施の形態３の動作説明に重複する部分の説明は省略する。
【０１７８】
中央処理部１２３は、図１４におけるステップＳ１４０８の処理である、ユーザから操作された部位の画面上の座標を操作検出部１２１から取得した後、以下の動作を行う。すなわち、中央処理部１２３は、予め操作説明書データベース１３１に記憶されている現表示内容に対する操作禁止座標を、データベース制御部１３０を介して取得する（ステップＳ１９０１）。なお、ここでいう操作禁止座標とは、現在表示している操作説明情報画面にて説明している内容とは関連しない機能が示される位置を表す座標である。
【０１７９】
すると、ユーザによって操作された内容（位置座標）が操作禁止座標と一致するか否かの判定が行われる（ステップＳ１９０２）。ユーザによる操作位置の座標と操作禁止座標とが一致しない場合（ステップＳ１９０２：Ｎｏ）、通常画面更新処理に移行し（ステップＳ１９０３）、図１４に示すステップＳ１４０９移行の処理が継続される。
【０１８０】
ステップＳ１９０２でＹｅｓの判定となった場合、すなわち、ユーザが誤操作した場合などは、携帯端末１００の表示画面１１２に表示している現画面に対して強調表示処理を行なうために、中央処理部１２３は、以下の動作を行う。すなわち、中央処理部１２３は、データベース制御部１３０を介して操作許可座標を取得し（ステップＳ１９０４）、画像処理部１２５が保持している表示画面情報を取得する（ステップＳ１９０５）。なお、ここでいう操作許可座標とは、現在表示している操作説明情報画面にて説明している内容に関連する機能が示される位置を表す座標である。
【０１８１】
ステップＳ１９０５にて取得した表示画面情報と操作許可画面情報とを用いて適切な（ユーザに操作させるべき）位置にある図（図１８の例では音楽アイコン１８１）を強調表示するために合成処理を行なって強調表示を反映させる（ステップＳ１９０６）。
【０１８２】
強調表示が反映された画面情報は中央処理部１２３が信号送信部１２６を介して携帯端末１００へ次画面情報として送信する（ステップＳ１９０７）。
【０１８３】
この場合、別画面に遷移する必要がないことがあらかじめ分っているため、ステップＳ１９０７の次の処理は、図１４に示すステップＳ１４２１になり、以降の処理は図１４に示されるフローになる。
【０１８４】
以上説明したとおり、本実施の形態によれば、操作誘導モードの途中でユーザが誤操作することがあっても、誤操作をユーザに報知して正しい操作を促すことができるため、ユーザが、より確実に操作説明および操作手順を確認することができる。
【０１８５】
なお、上記各実施の形態では、本発明をハードウェアで構成する場合を例にとって説明したが、本発明はハードウェアとの連係においてソフトウェアでも実現することも可能である。
【０１８６】
上述の説明においては、便宜上、実施の形態１〜４に分けてそれぞれ説明したものの、実施例１〜４を任意に組み合わせることによって、実施例１から４を任意に組み合わせた効果を得ることができる。
【０１８７】
２０１３年１月９日出願の特願２０１３−００１７６７の日本出願に含まれる明細書、図面および要約書の開示内容は、すべて本願に援用される。
【産業上の利用可能性】
【０１８８】
本発明に係る情報表示処理システム、情報表示処理装置、および携帯端末は、携帯端末と情報表示処理装置を接続し、当該情報表示処理装置の操作方法を携帯端末に表示するシステム、装置、方法、プログラム全般に適用できる。
【符号の説明】
【０１８９】
１００  携帯端末
１１１  信号受信部
１１２  表示画面
１１３  画面表示処理部
１１４  操作検出部
１１５  ユーザＩＦ
１１６  信号送信部
１２０  車載情報表示処理装置
１２１  操作検出部
１２２  信号受信部
１２３  中央処理部
１２４  画面表示処理部
１２５  画像処理部
１２６  信号送信部
１２７  表示装置
１２８  ユーザＩＦ
１３０  データベース制御部
１３１  操作説明書データベース
【図１】
2014108965.tif 000003
【図２】
2014108965.tif 000004
【図５】
2014108965.tif 000005
【図６】
2014108965.tif 000006
【図９】
2014108965.tif 000007
【図１０】
2014108965.tif 000008
【図１４】
2014108965.tif 000009
【図１９】
2014108965.tif 000010
【図３】
2014108965.tif 000011
【図４】
2014108965.tif 000012
【図７】
2014108965.tif 000013
【図８】
2014108965.tif 000014
【図１１】
2014108965.tif 000015
【図１２】
2014108965.tif 000016
【図１３】
2014108965.tif 000017
【図１５】
2014108965.tif 000018
【図１６】
2014108965.tif 000019
【図１７】
2014108965.tif 000020
【図１８】
2014108965.tif 000021
【国際調査報告】
2014108965.tif 000022
2014108965.tif 000023
2014108965.tif 000024
2014108965.tif 000025